(57)【要約】【課題】高速起動が可能な受電装置を提供する。【解決手段】通信用のケーブル２を介して給電装置３からのＰｏＥ給電に対応した受電装置１である。受電装置１は、その動作を制御するコントローラ５とＰｏＥ＋認証用回路４とを備えている。ケーブル２によって受電装置１が給電装置３と接続されたとき、ＰｏＥ＋認証用回路４は、給電装置３がＰｏＥ＋方式に対応しているか否かを認証するためのソフト認証とハード認証の少なくとも一方を行う。ソフト認証とハード認証のうち少なくとも一方による認証が終了するとコントローラ５は受電装置１の装置全体を起動する。【選択図】図１
2016111453.tif 000002
【特許請求の範囲】
【請求項１】
通信用のケーブルを介して給電装置からのＰｏＥ給電に対応した受電装置であって、
受電装置の動作を制御するコントローラと受電認証用回路とを備え、
前記ケーブルによって受電装置が前記給電装置と接続されたとき、前記受電認証用回路は、前記給電装置がＰｏＥ＋方式に対応しているか否かを認証するためのソフト認証とハード認証の少なくとも一方を行い、前記ソフト認証と前記ハード認証のうち少なくとも一方による認証が終了すると前記コントローラは受電装置の装置全体を起動する受電装置。
【発明の詳細な説明】
【技術分野】
【０００１】
本開示は、給電装置からケーブルを介して給電される受電装置に関する。
【背景技術】
【０００２】
特許文献１は、ＰｏＥ（Ｐｏｗｅｒ  ｏｖｅｒ  Ｅｔｈｅｒｎｅｔ（登録商標））対応のネットワークカメラシステムに関し、ファン、ヒータ等の温調部を内蔵するハウジングにネットワークカメラを設置する場合の給電制御を開示する。
【先行技術文献】
【特許文献】
【０００３】
【特許文献１】特開２０１３−２４７６５２号公報
【発明の概要】
【発明が解決しようとする課題】
【０００４】
本開示は、給電装置からケーブルを介して給電される受電装置において、高速起動が可能な受電装置を提供する。
【課題を解決するための手段】
【０００５】
本開示における受電装置は、通信用のケーブルを介して給電装置からのＰｏＥ給電に対応した受電装置である。受電装置は、その動作を制御するコントローラと受電認証用回路とを備えている。ケーブルによって受電装置が給電装置と接続されたとき、受電認証用回路は、給電装置がＰｏＥ＋方式に対応しているか否かを認証するためのソフト認証とハード認証の少なくとも一方を行う。ソフト認証とハード認証のうち少なくとも一方による認証が終了するとコントローラは受電装置の装置全体を起動する。
【発明の効果】
【０００６】
本開示における受電装置は、通信用のケーブルを介して給電装置から電力を受けて自装置を起動する際、高速で起動することができる。
【図面の簡単な説明】
【０００７】
【図１】実施の形態１にかかる受電装置の構成を示すブロック図
【図２】受電装置および給電装置の動作を説明するためのフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態１）
以下、図１〜２を用いて、実施の形態１を説明する。
【００１１】
［１−１．構成］
図１は、実施の形態１にかかる受電装置１の主要な構成を示すブロック図であり、受電装置１が通信用のケーブル２を介して給電装置３と接続された状態を示している。受電装置１は例えば監視用のカメラであり、ケーブル２は例えばＬＡＮケーブルであり、給電装置３は例えばスイッチングハブである。
【００１２】
受電装置１は、ＰｏＥ＋認証用回路（受電認証用回路）４とコントローラ５と画像入力系６とイメージプロセッサ７とメモリ８とを備える。コントローラ５は、受電装置１の動作を制御するものであり、ハードワイヤードな電子回路で実現してもよいし、プログラムを実行するマイクロコンピュータなどで実現してもよい。画像入力系６は、複数のレンズ、レンズコントローラ、イメージセンサなどを有し、被写体像を撮像して画像情報を生成する。イメージプロセッサ７は、画像入力系６により生成された画像情報に対して、各種の処理を施す。例えば、イメージプロセッサ７は、コントローラ５からの指示に従って、画像情報に対して、ガンマ補正、ホワイトバランス補正、傷補正、および符号化処理等を行う。メモリ８は、内部にフラッシュメモリ等の不揮発性の記録部を備えた外部メモリである。メモリ８は、イメージプロセッサ７で処理される画像情報等のデータを記録可能である。
【００１３】
ＰｏＥ＋認証用回路４は、ＲＪ４５コネクタ１０と電力データ分離回路１１とソフト認証マイコン１２とＰｏＥ用電源回路およびハード認証回路１３と認証判別回路１４とを備える。ＰｏＥ＋認証用回路４は、ＰｏＥ方式で供給される電力の範囲内で動作することができる回路で構成されている。
【００１４】
ＲＪ４５コネクタ１０は通信用のケーブル２が接続されるコネクタであり、ケーブル２によって受電装置１と給電装置３とが接続される。受電装置１はケーブル２によって給電装置３から供給される電力を受電する。受電の仕組みはＥｔｈｅｒｎｅｔの配線に用いるケーブルを利用して電力の供給を受ける標準化技術（ＩＥＥＥ５０２．３ａｆ）である。
【００１５】
電力データ分離回路１１は、ＲＪ４５コネクタ１０で受信した信号を、データと電力に分離する。この信号の分離は、例えばパルストランスによる絶縁という方法によって行われる。そして、データはソフト認証マイコン１２に送られ、電力はＰｏＥ用電源回路およびハード認証回路１３に送られる。ソフト認証マイコン１２に送られるデータは、ＬＬＤＰ（Ｌｉｎｋ  Ｌａｙｅｒ  Ｄｉｓｃｏｖｅｒｙ  Ｐｒｏｔｏｃｏｌ）などのデータを含んでおり、パケットの送受信によってデータが送られる。また、ハード認証は、給電装置３から任意の電圧を印加し、受電装置１からの電流リターンをもって実施している。
【００１６】
ソフト認証マイコン１２は、電力データ分離回路１１から受け取ったデータを用いて、給電装置３がＰｏＥ＋方式に対応しているか否かを認証する。この認証方法をソフト認証というものとする。そして、ソフト認証マイコン１２は、ソフト認証が完了すると認証判別回路１４に対してソフト認証完了通知を送る。
【００１７】
ＰｏＥ用電源回路およびハード認証回路１３に含まれるハード認証回路は、電力データ分離回路１１から受け取ったハード認証用の電圧を用いて、給電装置３がＰｏＥ方式、ＰｏＥ＋方式に対応しているか否かを認証する。この認証をハード認証というものとする。そして、ハード認証回路は、ハード認証が完了すると認証判別回路１４に対してハード認証完了通知を送る。
【００１８】
ＰｏＥ用電源回路およびハード認証回路１３に含まれるＰｏＥ用電源回路は、前述のソフト認証およびハード認証を行うために必要な回路やマイコン等に電力を供給するための電源回路である。すなわち、ＰｏＥ用電源回路は、受電装置１の一部の回路やマイコン等に電力を供給するための電源回路である。
【００１９】
認証判別回路１４は、ソフト認証完了通知およびハード認証完了通知を受け取り、これらの通知に基づいて受電装置１の全体を起動するか否かを判断する。そして、受電装置１の全体を起動可能と判断した場合にはコントローラ５に対して装置全体起動通知を送る。認証判別回路１４は、ソフト認証完了通知およびハード認証完了通知の他に、ＡＣアダプタ給電通知を受け取る構成となっていることもある。ＡＣアダプタ給電通知は、ＡＣアダプタによる給電にも対応した受電装置において使用される通知であり、受電装置１にＡＣアダプタが接続されている場合の通知である。受電装置１にＡＣアダプタが接続されている場合には、ＡＣアダプタからの給電によって受電装置全体が起動される。
【００２０】
［１−２．動作］
以上のように構成された受電装置１について、その動作を以下説明する。受電装置１は、ケーブル２によって給電装置３と接続されるとハード認証、ソフト認証、自装置全体の起動等の各動作を行う。以下、それぞれの動作について詳細に説明する。
【００２１】
図２は、受電装置１および給電装置３の動作を説明するためのフローチャートである。なお、受電装置１および給電装置３は少なくともＰｏＥ方式に対応している装置とする。
【００２２】
受電装置１は、ケーブル２によって給電装置３と接続されたか否かを監視している（ステップＳ１）。受電装置１がケーブル２によって給電装置３と接続されると（ステップＳ１でＹＥＳとなったとき）、給電装置３から受電装置１に対してＰｏＥ方式で供給可能な電力が給電され、ＰｏＥ＋認証用回路４が動作可能となる。そして、受電装置１と給電装置３は、お互いの装置がＰｏＥ＋方式に対応しているか否かを認証する。受電装置１は、ＰｏＥ＋認証用回路４が動作可能となると給電装置３に対する認証（給電装置３がＰｏＥ＋方式に対応しているか否か）を行う。受電装置１はハード認証とソフト認証とを行う。給電装置３は、通常、ハード認証またはソフト認証のいずれかを行う。認証の結果、互いの装置がＰｏＥ＋方式に対応していると認証すると、接続された受電装置１がＰｏＥ＋方式に対応していると判断した場合、その受電装置１に対してＰｏＥ＋方式で供給可能な電力（ＰｏＥ方式で供給可能な電力よりも大きい）の供給を開始する。
【００２３】
受電装置１は、ＰｏＥ＋認証用回路４が動作可能となるとハード認証を行う（ステップＳ２）。給電装置３がハード認証に対応しており、かつ、ＰｏＥ＋方式に対応している場合、このハード認証によって給電装置３がＰｏＥ＋方式に対応していることが認証される（ステップＳ２のＹＥＳ）。すると、受電装置１に対して給電装置３からＰｏＥ＋方式で供給可能な電力が供給され、受電装置１の装置全体が起動される（ステップＳ５）。
【００２４】
給電装置３がハード認証に対応していない場合、受電装置１ではハード認証による認証はできない（ステップＳ２のＮＯ）。この場合、受電装置１はソフト認証を行う（ステップＳ３）。給電装置３がソフト認証に対応しており、かつ、ＰｏＥ＋方式に対応している場合、このソフト認証によって給電装置３がＰｏＥ＋方式に対応していることが認証される（ステップＳ３のＹＥＳ）。すると、受電装置１に対して給電装置３からＰｏＥ＋方式で供給可能な電力が供給され、受電装置１の装置全体が起動される（ステップＳ５）。
【００２５】
そして、給電装置３がＰｏＥ＋方式に対応していない場合などが該当するが、受電装置１においてソフト認証による認証ができなかった場合（ステップＳ３のＮＯ）、受電装置１の装置全体の起動を行わない（ステップＳ６）。
【００２６】
このように、受電装置１において、ハード認証またはソフト認証のいずれかによる認証が完了したら、その完了通知（ハード認証完了通知またはソフト認証完了通知）に基づいて受電装置１の装置全体を起動させることとしている。すなわち、ハード認証とソフト認証の両方が完了するのを待つことなく、いずれか一方が完了すると完了通知を認証判別回路１４に送るようにしている。
【００２７】
受電装置１のソフト認証は、受電装置１内部のマイコンが起動し認証に必要なパケットを給電装置３に送信する必要があり、マイコンの起動に時間がかかる。このため、通常、ソフト認証はハード認証に比べて時間がかかる。そして、受電装置１がソフト認証とハード認証の両方が完了しないと認証が完了したことにならない場合に比べ、本開示の技術の方が認証に必要な時間を短くすることができる。このため、本開示の技術によれば、より短時間で受電装置１全体を起動することができる。
【００２８】
ここで、本開示の技術によれば、受電装置１においてソフト認証に比べてハード認証が高速であり、給電装置３がハード認証に対応している装置であれば受電装置１の高速起動が実現できる。ただし、給電装置３がソフト認証だけに対応した装置であれば、受電装置１の装置全体を起動するためには、ソフト認証にかかる時間が必要になる。
【００２９】
［１−３．効果等］
以上のように、本実施の形態において、受電装置１は、給電装置３に対するハード認証またはソフト認証のいずれかによる認証が終了したことを表す完了通知（ハード認証完了通知、ソフト認証完了通知）に基づいて受電装置全体を起動させることとしている。
【００３０】
これにより、給電装置３がハード認証に対応しているスイッチングハブであれば、ソフト認証に要する時間がボトルネックとなることなく、短時間で受電装置１の装置全体を起動することができる。受電装置１においてソフト認証に比べてハード認証が高速であり、給電装置３がハード認証に対応している装置であれば受電装置の高速起動が実現できる。
【００３１】
（他の実施の形態）
以上のように、本出願において開示する技術の例示として、実施の形態１を説明した。しかしながら、本開示における技術は、これに限定されず、変更、置き換え、付加、省略などを行った実施の形態にも適用できる。
【００３２】
そこで、以下、他の実施の形態を例示する。
【００３３】
実施の形態１では、ＰｏＥ＋を説明した。ＰｏＥ＋は、ソフト認証とハード認証を必要とする送受電規格であればよい。したがって、ソフト認証とハード認証を必要とする規格は、ＰｏＥ＋に限定されない。ただし、ＰｏＥ＋を用いれば、インフラの構築が進んでおり、安価にシステム構築が可能である。また、受電装置として監視用のカメラを例示したが、ウェブカメラやＩＰ電話などでもよい。
【００３４】
なお、上述の実施の形態は、本開示における技術を例示するためのものであるから、特許請求の範囲またはその均等の範囲において種々の変更、置き換え、付加、省略などを行うことができる。
【産業上の利用可能性】
【００３５】
本開示は、例えばＰｏＥ＋対応の受電装置に適用可能である。具体的には、ウェブカメラ、監視用カメラ、ＩＰ電話などに本開示は適用可能である。
【符号の説明】
【００３６】
１    受電装置
２    ケーブル
３    給電装置
４    ＰｏＥ＋認証用回路
５    コントローラ
６    画像入力系
７    イメージプロセッサ
８    メモリ
１０  ＲＪ４５コネクタ
１１  電力データ分離回路
１２  ソフト認証マイコン
１３  ＰｏＥ用電源回路およびハード認証回路
１４  認証判別回路
【図１】
2016111453.tif 000003
【図２】
2016111453.tif 000004